(57)【要約】【課題】壁面への取り付けが可能な、表面に装飾部材が配置された装飾材および装飾材の製造方法を提供する。【解決手段】装飾材１０Ａは、接着剤と共に混練された粒状の複数の装飾部材１が、互いに固着して一体化されて、編物状または織物状の基層２の表面に固設されている。【選択図】図１
2017203355.tif 000002
【特許請求の範囲】
【請求項１】
接着剤と共に混練された粒状の複数の第１の装飾部材が、互いに固着して一体化されて、編物状または織物状の基層の表面に固設されている、装飾材。
【請求項２】
前記接着剤がエポキシ系の接着剤である、請求項１に記載の装飾材。
【請求項３】
前記基層の表面に、下塗り剤としてエポキシ系の接着剤が塗布されている、請求項１または２に記載の装飾材。
【請求項４】
複数の前記第１の装飾部材が色違いである、請求項１から３のいずれかに記載の装飾材。
【請求項５】
前記第１の装飾部材が、繊維化樹脂、天然または人造の玉砂利、および天然または人造の砂利のいずれかである、請求項１から４のいずれかに記載の装飾材。
【請求項６】
珊瑚石、麦飯石、畜光石またはガラスビーズが、一体化された前記第１の装飾部材の塊の表面に付着または塊の表面に一部を露出するように埋め込まれている、請求項１から５のいずれかに記載の装飾材。
【請求項７】
一体化された前記第１の装飾部材の塊が、前記基層の表面に文字状に配置されている、請求項１から６のいずれかに記載の装飾材。
【請求項８】
前記基層に接する部分の前記第１の装飾部材が、前記基層の表面の網目に係合している、請求項１から７のいずれかに記載の装飾材。
【請求項９】
前記網目の平面視形状がハニカム形状である、請求項８に記載の装飾材。
【請求項１０】
前記基層に樹脂製の芝葉が植設されている、請求項１から７のいずれかに記載の装飾材。
【請求項１１】
前記第１の装飾部材の固設箇所に対応する位置の前記芝葉が、前記固設箇所の周囲の前記芝葉よりも短いまたは存在しない、請求項１０に記載の装飾材。
【請求項１２】
前記基層または前記芝葉に第２の装飾部材が取り付けられている、請求項１０または１１に記載の装飾材。
【請求項１３】
前記第２の装飾部材が造花または造草である、請求項１２に記載の装飾材。
【請求項１４】
前記第２の装飾部材が、タグピン、タグループ、紐、糸、結束バンドおよびステープラのいずれかで取り付けられている、請求項１２または１３に記載の装飾材。
【請求項１５】
粒状の複数の装飾部材を接着剤と共に混練するステップと、
混練した複数の前記装飾部材を、編物状または織物状の基層の表面に固設するステップとを含む、装飾材の製造方法。
【発明の詳細な説明】
【技術分野】
【０００１】
本発明は、表面に装飾部材が配置された装飾材に関し、より詳細には、壁面への取り付けが可能な装飾材および装飾材の製造方法に関する。
【背景技術】
【０００２】
従来から、建築物の周辺や歩道、床面等の装飾に天然の小石や玉砂利を敷設して、美観を向上させることが行われている。例えば下記特許文献１には、表面に玉砂利が埋め込まれたマットが開示されている。特許文献１の玉砂利マットによると、玉砂利の感触が得られかつ手入れが簡単な玉砂利敷設の代替物を提供することができ、玉砂利の有する自然な風合いを個人の家屋でも気軽に味わうことができる。
【先行技術文献】
【特許文献】
【０００３】
【特許文献１】特開平８−６０６０６号公報
【発明の概要】
【発明が解決しようとする課題】
【０００４】
近年では、建築物に対して景観への配慮を考慮する機運が高まっており、歩道や床面以外にも美観を向上させるための装飾が施されている。しかしながら、特許文献１に記載の玉砂利マットを壁面に取り付けようとすると、天然石は柔軟なバインダー層に埋め込まれているだけであるので、埋め込まれた天然石が剥がれ落ちるおそれがあり、壁面への取り付けには不向きである。
【０００５】
本発明は、上記課題を解決するためになされたものであり、その目的は、壁面への取り付けが可能な、表面に装飾部材が配置された装飾材および装飾材の製造方法を提供することにある。
【課題を解決するための手段】
【０００６】
上記目的を達成するための本発明は、以下に示す態様を含む。
（項１）
接着剤と共に混練された粒状の複数の第１の装飾部材が、互いに固着して一体化されて、編物状または織物状の基層の表面に固設されている、装飾材。
（項２）
前記接着剤がエポキシ系の接着剤である、項１に記載の装飾材。
（項３）
前記基層の表面に、下塗り剤としてエポキシ系の接着剤が塗布されている、項１または２に記載の装飾材。
（項４）
複数の前記第１の装飾部材が色違いである、項１から３のいずれかに記載の装飾材。
（項５）
前記第１の装飾部材が、繊維化樹脂、天然または人造の玉砂利、および天然または人造の砂利のいずれかである、項１から４のいずれかに記載の装飾材。
（項６）
珊瑚石、麦飯石、畜光石またはガラスビーズが、一体化された前記第１の装飾部材の塊の表面に付着または塊の表面に一部を露出するように埋め込まれている、項１から５のいずれかに記載の装飾材。
（項７）
一体化された前記第１の装飾部材の塊が、前記基層の表面に文字状に配置されている、項１から６のいずれかに記載の装飾材。
（項８）
前記基層に接する部分の前記第１の装飾部材が、前記基層の表面の網目に係合している、項１から７のいずれかに記載の装飾材。
（項９）
前記網目の平面視形状がハニカム形状である、項８に記載の装飾材。
（項１０）
前記基層に樹脂製の芝葉が植設されている、項１から７のいずれかに記載の装飾材。
（項１１）
前記第１の装飾部材の固設箇所に対応する位置の前記芝葉が、前記固設箇所の周囲の前記芝葉よりも短いまたは存在しない、項１０に記載の装飾材。
（項１２）
前記基層または前記芝葉に第２の装飾部材が取り付けられている、項１０または１１に記載の装飾材。
（項１３）
前記第２の装飾部材が造花または造草である、項１２に記載の装飾材。
（項１４）
前記第２の装飾部材が、タグピン、タグループ、紐、糸、結束バンドおよびステープラのいずれかで取り付けられている、項１２または１３に記載の装飾材。
（項１５）
粒状の複数の装飾部材を接着剤と共に混練するステップと、
混練した複数の前記装飾部材を、編物状または織物状の基層の表面に固設するステップとを含む、装飾材の製造方法。
【発明の効果】
【０００７】
本発明によると、壁面への取り付けが可能な、表面に装飾部材が配置された装飾材を提供することができる。
【図面の簡単な説明】
【０００８】
【図１】本発明の第１の実施の形態に係る装飾材１０Ａの斜視図である。
【図２】互いに固着して一体化された状態の装飾部材１の模式図である。
【図３】図１のＡ−Ａ′断面図である。
【図４】本発明の第１の実施の形態に係る基層２の斜視図である。
【図５】本発明の第２の実施の形態に係る装飾材１０Ｂの斜視図である。
【図６】図５のＢ−Ｂ′工程断面図である。
【図７】本発明の第１の実施の形態の変形例に係る基層２の斜視図である。
【発明を実施するための形態】
【０００９】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
【００１０】
（第１の実施の形態）
図１は、本発明の第１の実施の形態に係る装飾材１０Ａの斜視図であり、図２は、互いに固着して一体化された状態の装飾部材１の模式図である。
【００１１】
装飾材１０Ａは、粒状の装飾部材１が互いに固着して一体化されて、基層２の表面に固設されることによって形成されている。本実施形態では、装飾部材１は繊維化樹脂であり、図２に示すように、色違いの３種類の装飾部材１ｗ（白色），１ｇ（緑色），１ｒ（赤色）を混合して用いる。繊維化樹脂は、繊維で強化された樹脂複合材であり、例えばファイバーレジン（登録商標）の名称で市販されている。ファイバーレジンは、高い耐久性と透水性とを発揮する舗装材であり、ファイバーレジンの色および模様（テクスチャ）の種類としては、例えば、淡路五色、金華砂利、紅サンゴ、フリージア、桜桃紅、錆錦、鳳緑、庵治石、および海蘭石が挙げられる。装飾部材１と共に混練する接着剤は、本実施形態では２液混合タイプのエポキシ系の接着剤である。
【００１２】
基層２は、本実施形態では合成樹脂製であり、図１の透視部分に示すように合成樹脂製の糸が編物状に編成されて構成されている。
【００１３】
装飾材１０Ａの製造方法としては、まず、粒状の複数の装飾部材１を接着剤と共に混練する。次に、接着剤と共に混練された状態の装飾部材１を、接着剤が固まる前に基層２の表面に配置する。この際に、混練された状態の装飾部材１の塊を、基層２の表面に押しつけることが好ましい。その後接着剤が硬化すると、粒状の複数の装飾部材１は互いに固着して一体化されて、基層２の表面に固設される。接着剤は、複数の装飾部材１と共に混練されていることで、装飾部材１の表面をコーティングし、複数の装飾部材１同士を互いに固着させる役割と、一体化された装飾部材１を基層２の表面に固着させる役割とを果たしている。
【００１４】
図３は、図１のＡ−Ａ′断面図である。図３に示すように、本実施形態では、基層２は、基層本体２ｂと、基層本体２ｂの表面に設けられた所定の深さの網目２ｍとを備えている。本実施形態では、基層本体２ｂおよび網目２ｍはいずれも合成樹脂製であり、合成樹脂製の糸が編物状に編成されて構成されている。基層２の表面に接する部分の装飾部材１は、網目２ｍの隙間に入り込んで、網目２ｍと係合している。装飾部材１と網目２ｍとがこのように係合された状態で固着されることにより、装飾部材１の塊と基層２とがより強固に固設される。また、基層２の表面に接する部分の装飾部材１が網目２ｍの隙間に入り込むことにより、装飾部材１の塊と基層２との接着面積が増加する。このことも接着強度の増加に寄与している。
【００１５】
図４は、本発明の第１の実施の形態に係る基層２の斜視図である。（ａ）は基層２の表側の斜視図であり、（ｂ）は（ａ）の部分拡大図である。（ｃ）は基層２の裏側の斜視図であり、（ｄ）は（ｃ）の部分拡大図である。
【００１６】
図４（ａ）および（ｂ）に示すように、本実施形態では、基層２の表側の網目２ｍの平面視形状は、ハニカム形状（六角形または正六角形）である。網目２ｍは基層本体２ｂと同様に、合成樹脂製の糸が編物状に編成されて構成されている。これにより、網目２ｍの形状も、編物として伸縮可能な範囲内で自在に変形が可能である。このような網目２ｍの形状が伸縮可能である点も、係合強度の増加に寄与している。なお、図４（ｃ）および（ｄ）に示すように、本実施形態では、基層２の裏側も、合成樹脂製の糸が編物状に編成されて構成されている。
【００１７】
装飾部材１の寸法をＤｐとし、非伸縮状態の網目２ｍの寸法をＤｍとすると、寸法の比率Ｄｐ／Ｄｍは、０．５〜１．５の範囲内にあるのが好ましい。ここで、装飾部材１の寸法Ｄｐは、例えば長軸の寸法と短軸の寸法との幾何平均と規定することができ、網目２ｍの寸法は、例えば最大となる対角線の寸法と最小となる対角線の寸法との幾何平均と規定することができる。
【００１８】
装飾材１０Ａの壁面への取り付けには種々の方法がある。方法の一例としては、例えば装飾材１０Ａの周囲を額縁等の枠板で囲み、ピンまたはフック等の吊り下げ具を用いて枠板を壁面に吊り下げる。あるいは別の一例として、壁面として施工されている例えばベニヤ板等の木製の板の表面に、接着剤またはタッカー針（建築用ステープラ）で装飾材１０Ａを貼付または固定する。
【００１９】
このように、第１の実施形態に係る装飾材１０Ａによると、粒状の複数の装飾部材１は、接着剤と共に混練されることにより互いに固着して一体化されている。よって、装飾材１０Ａを壁面に取り付けても、装飾部材１が欠片状に基層２から剥がれ落ちることを防止することができる。
【００２０】
また、第１の実施形態に係る装飾材１０Ａによると、基層２に接する部分の装飾部材１が基層２の表面の網目２ｍに係合していることにより、装飾部材１と基層２とをより強固に固設することができる。よって、装飾材１０Ａを壁面に取り付けても、装飾部材１が基層２から剥がれ落ちることを防止することができる。
【００２１】
（第２の実施の形態）
図５は、本発明の第２の実施の形態に係る装飾材１０Ｂの斜視図である。第２の実施の形態に係る装飾材１０Ｂでは、第１の実施の形態に係る基層２に人工芝２０を使用する。
【００２２】
基層２に人工芝２０を使用すること以外は、第２の実施の形態に係る装飾材１０Ｂの製造方法は、第１の実施の形態に係る装飾材１０Ａと同じである。装飾部材１と基層２との接着強度を増加させる場合には、接着剤と共に混練された状態の装飾部材１を基層２の表面に配置する前に、装飾部材１を固設する箇所に対応する位置の人工芝２０の芝葉を、例えば切断により、周囲の芝葉２ｐよりも予め短く切断しておく。
【００２３】
図６は、図５のＢ−Ｂ′工程断面図である。図６（ａ）に示すように、人工芝２０は、芝葉（パイル）２ｐの植設部が基層２の裏側に貫通し、芝葉２ｐの表出部が表側に突出するように植設されている構造を有する。任意の構成として、基層２の裏側に貫通する芝葉２ｐの植設部が、樹脂層（または合成ゴム層）２ｒにより基層２の裏側から固定されていてもよい。本実施形態では、芝葉２ｐはナイロン製であり、ロングパイル型の長めのものを使用する。
【００２４】
図６（ｂ）に示すように、人工芝２０の表面の芝葉２ｐのうち、粒状の装飾部材１を固設する箇所に対応する位置の芝葉２ｐ′は、例えば切断により周囲の芝葉２ｐよりも短くされることが好ましい。これにより、図６（ｃ）に示すように、芝葉２ｐによって装飾部材１が基層２から浮き上がることなく、装飾部材１と基層２との接着面積を増加させることができ、接着強度を増加させることができる。
【００２５】
第２の実施形態に係る装飾材１０Ｂの壁面への取り付けには、第１の実施形態に係る装飾材１０Ａと同じ取り付け方法を採用することができる。
【００２６】
このように、第２の実施形態に係る装飾材１０Ｂによると、基層２に人工芝２０を使用することにより、景観への配慮を考慮したより自然な風合いを持たせることができる。第１の実施形態に係る装飾材１０Ａと同様に、第２の実施形態に係る装飾材１０Ｂでも、粒状の複数の装飾部材１は、接着剤と共に混練されることにより互いに固着して一体化されている。よって、装飾材１０Ｂを壁面に取り付けても、装飾部材１が欠片状に基層２から剥がれ落ちることを防止することができる。
【００２７】
さらに、粒状の装飾部材１を固設する箇所に対応する位置の芝葉２ｐ′を、周囲の芝葉２ｐよりも短くすることにより、装飾部材１と基層２とをより強固に固設することができる。よって、装飾材１０Ｂを壁面に取り付けても、装飾部材１が基層２から剥がれ落ちることを防止することができる。
【００２８】
（付記事項）
以上、本発明を特定の実施の形態によって説明したが、本発明は上記した実施の形態に限定されるものではない。
【００２９】
上記第１および第２の実施の形態では、基層２は合成樹脂製であるが、基層２は天然繊維製であってもよい。基層本体２ｂおよび網目２ｍについても同様に、天然繊維製であってもよい。また、基層２は編物状に編成されて構成されているが、織物状に織成されて構成されていてもよい。
【００３０】
上記第１および第２の実施形態では、色違いの装飾部材１として３種類のものを混合しているが、混合する色の種類は３種類に限定されず、単色であってもよく、２色であってもよく、３色以上であってもよい。装飾部材１に使用する色の種類も、例示した白色、緑色および赤色以外に、様々な色の装飾部材１を使用することができる。
【００３１】
上記第１および第２の実施形態では、装飾部材１には繊維化樹脂を用いているが、装飾部材１には、繊維化樹脂以外にも玉砂利または砂利等の種々の材料を用いることができる。玉砂利および砂利は、天然のもの以外にも人造のものを用いることができる。また、付加価値を向上させた玉砂利または砂利の一例として、玉砂利または砂利に、例えば珊瑚石、麦飯石、畜光石（畜光骨材）またはガラスビーズを混合して使用することができる。珊瑚石は、その特有の質感から美観を向上させると共に、多孔質であることから重量を軽減することができる。麦飯石も、多孔質で広い表面積を有することから種々の物質を吸着する作用を有し、例えば空間の消臭効果が期待される。ガラスビーズには、例えば再帰性の反射材であるユニチカスパークライト（ユニチカスパークライト株式会社製）を使用することができる。これら珊瑚石、麦飯石、畜光石またはガラスビーズは、玉砂利または砂利と混ぜ合わされた状態で接着剤と共に混練されてもよいし、あるいは、玉砂利または砂利と接着剤とを混練した直後の塊において、接着剤が固着する前に、珊瑚石、麦飯石、畜光石またはガラスビーズを、塊の表面に付着または塊の表面に一部を露出するように埋め込んでもよい。これら珊瑚石、麦飯石、畜光石またはガラスビーズは、接着剤によって玉砂利または砂利の混練物と一体化されて固着されているので、装飾材１０Ａ，１０Ｂが壁面に取り付けられる場合でも剥がれ落ちが防止される。特に、畜光石を混練物の塊の表面に一部を露出するように埋め込み、ガラスビーズを混練物の塊の表面に付着させると、照明の照射下ではガラスビーズが輝いて光輝感を演出し、照明が落とされた状態では、畜光石が放出するわずかな光が残光感を演出し、空間の演出効果が高まる。
【００３２】
上記第１および第２の実施形態では、一体化された装飾部材１は、基層２の表面の一部または全面に単なる塊として配置されているが、一体化された装飾部材１の平面形状は限定されず、例えば文字を表す平面形状で文字状に配置されてもよい。これにより、ウェルカムボードやサインボードとしての利用価値を高めることができる。
【００３３】
上記第１および第２の実施形態において、接着剤と共に混練された状態の装飾部材１を基層２の表面に配置する工程の前に、基層２の表面に下塗り剤として接着剤を塗布してもよい。使用する接着剤としては、例えばエポキシ系の接着剤とすることができ、好ましくは、複数の装飾部材１と共に混練する際に使用する接着剤と同じものである。
【００３４】
上記第１の実施形態では、網目２ｍの平面視形状はハニカム形状であるが、網目２ｍの形状はこれに限定されず、粒状の装飾部材１が係合可能であれば、矩形や五角形等の多角形であってもよく、真円や楕円等の円形であってもよい。あるいは、網目２ｍの平面視形状は、例えば図７の斜視図に示すように鎖状であってもよい。図７は、本発明の第１の実施の形態の変形例に係る基層２の斜視図である。（ａ）は基層２の表側の斜視図であり、（ｂ）は（ａ）の部分拡大図である。（ｃ）は基層２の裏側の斜視図であり、（ｄ）は（ｃ）の部分拡大図である。
【００３５】
上記第２の実施形態では、粒状の装飾部材１を固設する箇所に対応する位置の芝葉２ｐ′は、例えば切断により周囲の芝葉２ｐよりも短くされていたが、芝葉２ｐ′を周囲の芝葉２ｐよりも短くする方法は、切断以外にも、例えば抜き取りや焼き切り等の他の種々の方法であってもよい。粒状の装飾部材１を固設する箇所に対応する位置の芝葉を完全に除去してもよい。
【００３６】
上記第２の実施の形態において、さらに別の装飾部材（以下、第２の装飾部材と記す）を基層２または芝葉２ｐに取り付けてもよい。第２の装飾部材の一例としては、例えば造花や造草等を使用することができる。第２の装飾部材の基層２または芝葉２ｐへの取付方法は種々の態様が可能であるが、例えば衣類へのプライスタグの取付に使用されている、例えばナイロン製のタグ留め用のピン（タグピン）やタグ留め用のループ（タグループまたはループロック）を、例えば基層２の裏側から突き刺してまたは芝葉２ｐに括り付けて使用することができる。あるいは、ナイロン製または天然素材製の紐または糸（釣り糸、テグス）や結束バンドにより芝葉２ｐに括り付けてもよく、ステープラ等の留め具を使用して、基層２に留め付けるまたは芝葉２ｐに留め付けてもよい。
【符号の説明】
【００３７】
１     装飾部材
１ｗ，１ｇ，１ｒ     装飾部材（白色、緑色、赤色）
２     基層
２ｂ   基層本体
２ｍ   網目
２ｐ   芝葉（パイル）
２ｐ′ 短くされた芝葉
２ｒ   樹脂層（合成ゴム層）
１０Ａ 装飾材
１０Ｂ 装飾材
２０   人工芝
Ｄｐ   装飾部材の寸法
Ｄｍ   網目の寸法
【図１】
2017203355.tif 000003
【図２】
2017203355.tif 000004
【図３】
2017203355.tif 000005
【図４】
2017203355.tif 000006
【図５】
2017203355.tif 000007
【図６】
2017203355.tif 000008
【図７】
2017203355.tif 000009